(57)【要約】      （修正有）【課題】後側のフィルタを単独で調整できる二重式レンズユニットを提供する。【解決手段】径方向に延設される径方向内環状部１１と、その内周縁から軸方向に沿って後側へ延設される軸方向後環状部１２と、径方向内環状部１１の外周縁から軸方向に沿って前側へ延設される軸方向前環状部１３と、径方向内環状部１１の外周面から内周面まで貫通するように形成される弧状案内溝１４とを含む支持リム１０と、それに係合されるマウントリム２０と、軸方向前環状部１３に囲まれる空間に回転可能に設置される調整リム３０と、それに係合固定される内フィルタ３１と、弧状案内溝１４を貫通するように調整リム３０に固定される駆動レバー５０と、軸方向前環状部１３に取り外し可能に設置され、支持リム１０の径方向内環状部１１との間に調整リム３０が挟設される押圧リム６０と、それに囲まれる空間に設置される押圧リム６０に係合固定される外フィルタ６１とを備える。【選択図】図１
2020149030.tif 000002
【特許請求の範囲】
【請求項１】
径方向に延設される径方向内環状部と、該径方向内環状部の内周縁から軸方向に沿って後側へ延設される軸方向後環状部と、該径方向内環状部の外周縁から軸方向に沿って前側へ延設される軸方向前環状部と、該径方向内環状部の外周面から内周面まで貫通するように該径方向内環状部に弧状に形成される弧状案内溝とを含む支持リムと、
前記支持リムにおける径方向内環状部と軸方向後環状部の表側に環装されるように前記支持リムに係合されるマウントリムと、
前記支持リムの軸方向前環状部に囲まれる内部空間に回転可能に設置される調整リムと、
前記調整リムに囲まれる内部空間に設置されるように該調整リムに係合固定される内フィルタと、
前記弧状案内溝を貫通するように前記調整リムに固定される駆動レバーと、
前記支持リムの軸方向前環状部に囲まれる内部空間に、該軸方向前環状部に取り外し可能に設置されると共に、該支持リムの径方向内環状部との間に前記調整リムが挟設される押圧リムと、
前記押圧リムに囲まれる内部空間に設置されるように該押圧リムに係合固定される外フィルタとを備える二重式レンズユニット。
【請求項２】
前記支持リムは、前記弧状案内溝と軸方向前環状部の前端縁との間における軸方向前環状部の外周面に設けられる抜止凸部をさらに含み、
前記マウントリムは、軸方向に沿って延伸するように前記軸方向後環状部の外周面に環装される環状接合部と、前記環状接合部から径方向に沿って延伸するように、前記径方向内環状部の外周面に環装される径方向外環状部とを有し、また、該径方向外環状部はさらに、前記軸方向前環状部の外周面から突出するように延伸して前記抜止凸部との間に環状溝が形成され、
前記支持リムの軸方向前環状部上における環状溝の内部において回転可能に環装される環状カバーを含み、又、該環状カバーには貫通孔を有し、
前記駆動レバーは、前記環状カバーの貫通孔と支持リムの弧状案内溝とを貫通するように該調整リムに固設されることを特徴とする請求項１に記載の二重式レンズユニット。
【請求項３】
前記支持リムの弧状案内溝の弧度が、π/２ラジアン以下であることを特徴とする請求項１又は請求項２に記載の二重式レンズユニット。
【発明の詳細な説明】
【技術分野】
【０００１】
本発明は、レンズユニットに関し、特に二枚のレンズの相対的な角度位置によって偏光効果を調整する二重式レンズユニットに関するものである。
【背景技術】
【０００２】
フィルタは、カメラレンズの前方に装着される撮影補助装置であり、カメラレンズを保護するだけでなく、異なる波長の光線を選択的に吸収することもできることから、特殊な光と影の効果による写真作品を撮影できる。また、一般的によく使用されるフィルタは、偏光フィルタと減光フィルタであり、そのうち偏光フィルタは、特定光軸の光線しか通さないようにするために、偏極性のない自然光を偏極光に変換するので、非金属物体の表面や水面などの反射光を濾過除去して色がより鮮やかに見える。一方、減光フィルタは、レンズに入る光線の量を減少させることにより、シャッター速度を下げることができるので、光線が強い場合でも絞りによりボケた写真を撮ることができる。
【０００３】
従来技術のレンズユニットは、例えば、特許文献１に示す「ダブル式レンズユニット」において、保持リムを備え、該保持リムの表側における、後端と対応する位置に環装されてカメラレンズに接合することができる装着リムを含み、該保持リムの裏側における後端から前端へ向って順に固定レンズ、調整リム、押圧リムが設置され、
前記固定レンズは該保持リムに固定され、
前記調整リムは、該保持リムに対して回転するように駆動し、また該調整リムに回動レンズが設置され、
前記押圧リムは、取り外し可能に該保持リムに接続されると共に、前記調整リムが該保持リムから抜けるのを防ぐために、該調整リムを該保持リムの内に拘束する。また、従来技術のレンズユニットを使用する時は、前記支持リムを回す際に前記固定レンズと回動レンズとを同時に回転させることができる一方、前端に位置する回動レンズのみを回転させることで、必要に応じた該当レンズユニットの濾過効果の目的を達成することができる。
【０００４】
また、例えば、プロのカメラマンが、二枚のフィルタが用いられるレンズユニットを使用する時は、まず、該レンズユニットに入る光線を前側の偏光フィルタに通すことで偏極化させ、さらにこの二枚のフィルタの相対的な角度によって、レンズに入る光線の量と画面の明るさを調整し、減光効果を調整する目的を達成できる。
【０００５】
しかしながら、上述した、従来技術のレンズユニットによれば、前側に位置する偏光フィルタを単独で回転させることしかできないので、使用者が個別に偏光と減光効果を調整する場合には、まず、二枚のフィルタを同時に回転させて偏光効果を調整し、さらに偏光フィルタとする回動レンズを単独で回転させて減光効果を調整する。但し、前側における偏光フィルタとする回動レンズを回転させたり調整したりすると、調整済みの偏光効果に影響を及ぼしてしまう。故に、この二枚の偏光フィルタの相対的な角度の調整を繰り返さなければならなくなることから、使用上、非常に面倒となるので、従来技術のレンズユニットを改良する必要があった。
【先行技術文献】
【特許文献】
【０００６】
【特許文献１】台湾の特許第Ｉ５９１４１３号
【発明の開示】
【発明が解決しようとする課題】
【０００７】
本発明は、前記従来技術に鑑みてなされたものであって、後側におけるフィルタを単独で調整できる二重式レンズユニットを提供することを目的とする。
【０００８】
上述した目的を達成するために、本発明の二重式レンズユニットは、径方向に延設される径方向内環状部と、該径方向内環状部の内周縁から軸方向に沿って後側へ延設される軸方向後環状部と、該径方向内環状部の外周縁から軸方向に沿って前側へ延設される軸方向前環状部と、該径方向内環状部の外周面から内周面まで貫通するように該径方向内環状部に弧状に形成される弧状案内溝とを含む支持リムと、
前記支持リムにおける径方向内環状部と軸方向後環状部の表側に環装されるように前記支持リムに係合されるマウントリムと、
前記支持リムの軸方向前環状部に囲まれる内部空間に回転可能に設置される調整リムと、
前記調整リムに囲まれる内部空間に設置されるように該調整リムに係合固定される内フィルタと、
前記弧状案内溝を貫通するように前記調整リムに固定される駆動レバーと、
前記支持リムの軸方向前環状部に囲まれる内部空間に、該軸方向前環状部に取り外し可能に設置されると共に、該支持リムの径方向内環状部との間に前記調整リムが挟設される押圧リムと、
前記押圧リムに囲まれる内部空間に設置されるように該押圧リムに係合固定される外フィルタとを備える。
【０００９】
前記支持リムは、前記弧状案内溝と軸方向前環状部の前端縁との間における軸方向前環状部の外周面に設けられる抜止凸部をさらに含み、
前記マウントリムは、軸方向に沿って延伸するように前記軸方向後環状部の外周面に環装される環状接合部と、前記環状接合部から径方向に沿って延伸するように、前記径方向内環状部の外周面に環装される径方向外環状部を有し、また、該径方向外環状部はさらに、前記軸方向前環状部の外周面から突出するように延伸して前記抜止凸部との間に環状溝が形成され、
前記支持リムの軸方向前環状部上における環状溝の内部において回転可能に環装される環状カバーを含み、又、該環状カバーには貫通孔を有し、
前記駆動レバーは、前記環状カバーの貫通孔と支持リムの弧状案内溝とを貫通するように該調整リムに固設されることを特徴とする。
【００１０】
前記支持リムの弧状案内溝の弧度が、π/２ラジアン以下であることを特徴とする。
【００１１】
前記環状接合部の外周面にオスネジ山が形成されることを特徴とする。
【発明の効果】
【００１２】
本発明の二重式レンズユニットの優れた点は、二枚の偏光フィルタをそれぞれ、外フィルタと内フィルタとすることで、使用する時には、外フィルタを回して偏光効果を調整し、最初に該二重式レンズユニットに入る光線を該外フィルタに通して偏極化させ、さらに、突出する駆動レバーを介して後側における内フィルタを単独で回転させることで、該外フィルタと該内フィルタの相対的な角度位置を調整して、減光効果を調整することができることから、レンズに入る光線の量と画面の明るさを調整する目的を達成できるので、特殊な光と影の効果を備えた写真を撮ることができる。
【図面の簡単な説明】
【００１３】
【図１】本発明に係る側面視断面拡大図である。
【図２】本発明に係る側面視断面分解図である。
【図３】本発明に係る側面視断面分解拡大図である。
【図４】本発明に係る支持リム、調整リム、環状カバーと駆動レバーの立体分解図である。
【発明を実施するための形態】
【００１４】
図1及び図２に示すように、本発明に係る二重式レンズユニットは、支持リム１０、マウントリム２０、調整リム３０、内フィルタ３１、環状カバー４０と、駆動レバー５０と、押圧リム６０と、外フィルタ６１と、を備える。
【００１５】
図２〜図４に示すように、前記支持リム１０は、径方向内環状部１１と、軸方向後環状部１２、軸方向前環状部１３と、弧状案内溝１４と、抜止凸部１５を含む。
【００１６】
径方向に延設される前記径方向内環状部１１は、内周縁と外周縁を有し、前記軸方向後環状部１２は、該径方向内環状部１１の内周縁から軸方向に沿って前記支持リム１０の後側へ延設され、前記軸方向前環状部１３は、該径方向内環状部１１の外周縁から軸方向に沿って前記支持リム１０の前側へ延設されると共に、外周面と前端縁を有する。
【００１７】
前記弧状案内溝１４は、前記軸方向前環状部１３に貫穿され、該弧状案内溝１４の弧度は、π/２ラジアン以下であり、即ち、該弧状案内溝１４に対応する中心角は９０度以下である。また、前記抜止凸部１５は、前記弧状案内溝１４と軸方向前環状部１３の前端縁との間における、該軸方向前環状部１３の外周面に環装される。尚、図４に示すように、本発明の具体的な実施形態において、前記抜止凸部１５は円環状を呈するが、これに限定されなく、該抜止凸部１５は、間隔をおいて円環状に配列される複数の凸部で形成されてもよい。
【００１８】
前記マウントリム２０は、前記支持リム１０における径方向内環状部１１と軸方向後環状部１２の表側に環装されるように前記支持リム１０に係合されることで、該支持リム１０をマウントリム２０に対して相対的に回転させるものであり、該マウントリム２０は、環状結合部２１と、径方向外環状部２２と、オスネジ山２３を含み、そのうち、環状結合部２１は、軸方向に沿って延伸するように前記軸方向後環状部１２の外周面に環装されると共に、外周面を有する。前記径方向外環状部２２は、前記環状結合部２１から径方向に沿って延伸するように前記径方向内環状部１１の外周面に環装されると共に、該径方向外環状部２２はさらに、前記軸方向前環状部１３の外周面から突出して延伸するように前記抜止凸部１５との間に環状溝ＡＡが形成され、前記支持リム１０における弧状案内溝１４は、該環状溝ＡＡの底部に対応する箇所に位置する。前記オスネジ山２３は、前記環状結合部２１の外周面に形成され、該オスネジ山をカメラレンズの前端に設けられるメスネジ山と接続させることで、本発明の二重式レンズユニットをカメラレンズに装着させる。
【００１９】
前記調整リム３０は、前記支持リム１０の軸方向前環状部１３に囲まれる内部空間に回転可能に設置され、前記内フィルタ３１は、調整リム３０に囲まれる内部空間に設置されるように該調整リムに係合固定される。
【００２０】
前記環状カバー４０は、前記支持リム１０の軸方向前環状部１３上における前記環状溝ＡＡの内部に回転可能に環装され、又、該環状カバー４０上に貫通孔４１が形成され、該貫通孔４１が形成された箇所は、該支持リム１０の弧状案内溝１４に対応している。
【００２１】
前記駆動レバー５０は、前記環状カバー４０の貫通孔４１と支持リム１０の弧状案内溝１４とを貫通するように前記調整リム３０に固設され、使用者は、該駆動レバー５０を外弧状案内溝１４に沿って移動させることにより、該調整リム３０と前記内フィルタ３１及び環状カバー４０を一緒に回転させ、又、該環状カバー４０は、前記弧状案内溝１４に覆い被さることで、ほこりが該弧状案内溝１４を通して本発明の二重式レンズユニットの内部に入るのを防ぐことができる。
【００２２】
前記押圧リム６０は、前記支持リム１０の軸方向前環状部１３に囲まれる内部空間に、該軸方向前環状部１３に着脱可能に設置されると共に、該押圧リム６０と前記支持リム１０の径方向内環状部１１との間に前記調整リム３０が挟設される。尚、本発明の具体的な実施形態においては、該押圧リム６０と軸方向前環状部１３が螺合構造によって互いに締結され、前記外フィルタ６１が、該押圧リム６０に囲まれる内部空間に設置されように該押圧リム６０に係合固定される。
【００２３】
上述した設計によれば、前記外フィルタ６１と内フィルタ３１を偏光フィルタにし、本発明の二重式レンズユニットをカメラレンズに装着すると、レンズユニットに入る光線が、まず該外フィルタ６１を通って反射光を濾過除去し、さらに、該内フィルタ３１を通って減光する。故に、使用者が実際に使用する時はまず、前記支持リム１０を回転させて、該外フィルタ６１と前記内フィルタ３１とを同時に駆動して回転させることで、該外フィルタ６１による反射光を除去する偏光効果を調整し、この操作によって、本発明の二重式レンズユニットに入る光線をまず該外フィルタ６１へ通して偏極化させる。該外フィルタ６１による偏光効果を調整した後、さらに突出する駆動レバー５０を介して後側における内フィルタ３１を単独で回転させることで、該外フィルタ６１と内フィルタ３１の相対的な角度位置を調整して、減光効果を調整し、レンズに入る光線の量と画面の明るさを調整することとにより、特有の光と影の効果を有する写真を撮影する。
【００２４】
以上の説明は、本発明の好ましい実施形態に過ぎず、本発明に対して何ら限定を行うものではない。本発明について、比較的好ましい実施形態をもって上記のとおり開示したが、これは本発明を限定するものではなく、すべての当業者が、本発明の技術構想を逸脱しない範囲において、本発明の技術の本質に基づいて上記の実施形態に対して行ういかなる簡単な修正、変更及び修飾も、依然としてすべて本発明の技術構想の範囲内にある。
【符号の説明】
【００２５】
１０    支持リム
１１    径方向内環状部
１２    軸方向後環状部
１３    軸方向前環状部
１４    弧状案内溝
１５    抜止凸部
２０    マウントリム
２１    環状結合部
２２    径方向外環状部
２３    オスネジ山
ＡＡ    環状溝
３０    調整リム
３１    内フィルタ
４０    環状カバー
４１    貫通孔
５０    駆動レバー
６０    押圧リム
６１    外フィルタ
【図１】
2020149030.tif 000003
【図２】
2020149030.tif 000004
【図３】
2020149030.tif 000005
【図４】
2020149030.tif 000006